(57)【要約】【課題】メータボックス等の閉止固定と封印を専用工具を用いることなく容易に行う。【解決手段】メータボックス（５０）の基台（５２）にカバー部材（５３）を開放不能に固定するとともに封印するための封印締結具（１０）であって、挿込孔（１２）が形成され該挿込孔の内部に戻止部（１４）が突起した頭部（１６）と、該頭部から伸長し、かつ、前記挿込孔内部の戻止部に掛け止められる複数の溝（１８）が並列して形成されたベルト部（２２）からなり、前記挿込孔内部の戻止部にその溝が掛け止められられたベルト部を引き抜こうとすると容易に破損する脆弱部が設けられている、ことを特徴とする。【選択図】図４
2011047805.tif 000002
【特許請求の範囲】
【請求項１】
メータボックス（５０）を構成する基台（５２）およびカバー部材（５３）のそれぞれに整合して設けられ、基台にカバー部材を取り付けた際に一連して形成される封印用ネジ穴（５７）に通して結束することで基台にカバー部材を開放不能に固定するとともに封印するための封印締結具（１０）であって、
挿込孔（１２）が形成され該挿込孔の内部に戻止部（１４）が突起した頭部（１６）と、該頭部から伸長し、かつ、前記挿込孔内部の戻止部に掛け止められる複数の溝（１８）が並列して形成されたベルト部（２２）を有し、
前記挿込孔内部の戻止部にその溝が掛け止められられたベルト部を引き抜こうとすると容易に破損する脆弱部が設けられている、ことを特徴とする封印締結具。
【請求項２】
前記脆弱部が、前記ベルト部（２２）に形成され、ベルト部を前記頭部（１６）の挿込孔（１２）に挿し込んだ際に挿込孔出口において広がる薄小片状のカエシ部（Ｐ）である、ことを特徴とする請求項１に記載の封印締結具。
【請求項３】
前記脆弱部が、前記頭部（１６）に形成され、前記ベルト部（２２）を前記頭部（１６）の挿込孔（１２）に挿し込んだ際にベルト部の溝（１８）と係合する薄小片状の脆弱片（Ｑ）である、ことを特徴とする請求項１に記載の封印締結具。
【請求項４】
前記挿込孔（１２）に前記ベルト部（２２）を挿し込んで掛け止めた後に、さらに前記ベルト部に挿し込むことで前記挿込孔の出口側を覆うこととなる蓋部材（２４）を有し、
該蓋部材はこれに形成した孔（２６）にベルト部を挿し込むとベルト部の溝（１８）を掛け止めて引き抜き不能に構成されている、ことを特徴とする請求項１乃至３のいずれか一項に記載の封印締結具。
【発明の詳細な説明】
【技術分野】
【０００１】
本発明は、使用電力量の計量のために需要家宅等に設置される電力量計の電力測定部を収容するメータボックスの閉止固定・封印を容易に行うことを可能とするとともに、電力会社の関係者以外の第三者がメータボックスを開放した場合にはこれを容易に発見することができる封印締結具に関する。
【背景技術】
【０００２】
５０ｋＷ未満の低圧分野では、需要家宅等の需要家側に低圧計器としての電力量計が設置される。そのため需要家による使用電力量の検針は、主に、検針員が定期的に現地に出向き、目視により電力量計の数値を読み取ることで実施されている。
【０００３】
電力量計は、メータボックス（収容ケース）内に収容されており、電力測定部、端子ボックス、測定結果を表示する表示部（メーター部）等を備えている。そしてメータボックス前面には表示部の表示内容を目視確認するための透明窓（メーター表示窓）が配置されている。また、メータボックスがみだりに開放されると検針電力測定部に対する不正操作の可能性から検針に対する信頼性が低下するため、メータボックスは開放できないように封印されている。
【０００４】
図８および図９に電力量計を収容するメータボックスの一例を示した。このメータボックス５０は、電力量計を固定する基台５２とこの基台５２に電力量計を覆うように取り付けられたカバー部材５３とを有しており、基台５２にカバー部材５３を閉止した際にメータボックス下部において一連して表裏に貫通するように封印用ネジ穴５７がそれぞれに整合して形成されている。そのためカバー部材５３は封印用ネジ穴５７に通した締結ねじ５４で基台５２に固定されるようになっている。
【０００５】
このような構成のメータボックス５０では、締結ねじ５４を外してカバー部材５３が勝手に外されることを防ぐために、封印ワイヤ１００ａと、この封印ワイヤ１００ａの両端部に圧着される封印鉛１００ｂからなる封印具１００が用いられる。具体的には、図に示したように、締結ねじ５４の頭部に横孔を形成し、また、締結ねじ５４の近傍にカバー部材５３と基台５２とのそれぞれに整合して形成された挿通孔５５を設け、これら横孔と挿通孔５５とに封印用ワイヤ１００ａを通し、この封印用ワイヤ１００ａの両端部を封印鉛１００ｂの側面からこれに穿設された通孔に挿通させ、しかる後に専用工具により封印鉛１００ｂを挟持して圧潰することで封印用ワイヤ１００ａの両端部を封印鉛１００ｂで結着するようにしていた。
【０００６】
なおこのような封印ワイヤと封印鉛からなる封印具は、電力量計のメータボックスに限らず、ガス、水道などのメータボックスやその開閉弁のレバーなど封印が必要なものに広く用いられている。
【０００７】
ところが、上述のような封印具１００を用いた封印は、封印用ワイヤ１００ａを、締結ねじ５４の横孔や、カバー部材５３及び基台５２の挿通孔５５に挿通させ、さらに封印鉛１００ｂの通孔に挿通させなければならず、また、専用工具を用いて封印鉛１００ｂを圧潰する必要があり、作業の工数が多く手間がかかるものであった。特に、この種の封印具が需要家である各家庭に設置されたメータボックス等に利用される場合には、同様の作業がそれぞれの家庭で必要となり、また、定期点検等でカバー部材を開放する必要があれば、その都度、封印用ワイヤ１００ａを切断してカバー部材を開放させ、点検終了後にカバー部材を取り付けて再び封印用ワイヤ１００ａを封印鉛１００ｂで結着させなければならず煩に耐えないといった問題があった。
【０００８】
そのため封印用ワイヤを用いずに封印することが可能な種々の封印具が発案されている。例えば特許文献１の「封印具」には、電力量計等を構成する基台とカバー部材の夫々に設けた挿通孔内に挿入可能な挿込棒状体と、この挿込棒状体の基端部に一体化された取手部と、挿込み棒状体の他の部分に設けた逆止部と、該取手部の近傍に設けられた破断が容易な破断部とを備えた封印具が開示されている。
【特許文献１】特開２００６−６５００７号公報
【発明の開示】
【発明が解決しようとする課題】
【０００９】
この封印具は、全体形状が細い棒状体であり、連通状態にある２つの挿通孔内に挿し込めば挿着が完了する点で便利であるが、指先で取手部を摘んでひねりを加えて破断部を容易に切断するようになっているため、故意でなくとも過失によって簡単に取り外されて封印が解除されてしまう虞があった。封印が解除されると電力測定部に対して不正行為が行われる可能性もあるため、検針結果への信頼性が低下することとなるといった問題もあった。
【００１０】
また近年では不正な細工によって封印具を再利用可能な形で取り外し、電力測定部に対して細工をした後に、再びその封印具を用いて封印を行うことで、その細工が発見されることを回避するなど不正行為が巧妙化してきている。
【００１１】
本発明は上記事情に鑑みてなされたものであり、使用電力量の計量のために需要家宅等に設置される電力量計の電力測定部等を覆うメータボックスの閉止固定および封印を専用工具を用いることなく容易に行うことが可能である一方、一度した封印を不正な細工により取り外してこれを再利用しようとした場合には、取り外したことを容易に発見することができる封印締結具を提供することを目的としている。
【課題を解決するための手段】
【００１２】
上記目的を達成するため本発明は、メータボックス（５０）を構成する基台（５２）およびカバー部材（５３）のそれぞれに整合して設けられ、基台にカバー部材を取り付けた際に一連して形成される封印用ネジ穴（５７）に通して結束することで基台にカバー部材を開放不能に固定するとともに封印するための封印締結具（１０）であって、挿込孔（１２）が形成され該挿込孔の内部に戻止部（１４）が突起した頭部（１６）と、該頭部から伸長し、かつ、前記挿込孔内部の戻止部に掛け止められる複数の溝（１８）が並列して形成されたベルト部（２２）を有し、前記挿込孔内部の戻止部にその溝が掛け止められられたベルト部を引き抜こうとすると容易に破損する脆弱部が設けられている、ことを特徴とする。
【００１３】
ここで、前記脆弱部が、前記ベルト部（２２）に形成され、ベルト部を前記頭部（１６）の挿込孔（１２）に挿し込んだ際に挿込孔出口において広がる薄小片状のカエシ部（Ｐ）であるか、前記頭部（１６）に形成され、前記ベルト部を前記頭部（１６）の挿込孔（１２）に挿し込んだ際にベルト部の溝（１８）と係合する薄小片状の脆弱片（Ｑ）である、ことが好ましい。
【００１４】
さらに、前記頭部（１６）の挿込孔（１２）出口は、前記ベルト部が通る隙間だけを残して邪魔片（２５）によって塞がれている、ことも好ましい。
【００１５】
また、前記挿込孔（１２）に前記ベルト部（２２）を挿し込んで掛け止めた後に、さらに前記ベルト部に挿し込むことで前記挿込孔の出口側を覆うこととなる蓋部材（２４）を有し、該蓋部材はこれに形成した孔（２６）にベルト部を挿し込むとベルト部の溝（１８）を掛け止めて引き抜き不能に構成されている、ことも好ましい。
【発明の効果】
【００１６】
本発明では、基台およびカバー部材からなる既存のメータボックスの封印固定にいわゆる結束バンドを封印締結具として用いることで、専用工具を用いることなく基台にカバー部材を開閉不能に容易に固定することができると同時にその封印をすることができる。また封印締結具に脆弱部を設けることで、不正が行われた場合にもこれを容易に発見することができる。すなわち一度締結した封印締結具に細工を加えることで切断することなくこれを取り外し、取り外した封印締結具を再使用して封印が行われたとしても、脆弱部の破損から不正行為を容易に発見できる。これにより、不正の早期発見さらには不正の未然防止を図ることで、検針結果の信頼性を向上させることができる。
【００１７】
ここで、脆弱部をベルト部に形成した薄小片状のカエシ部とするか、頭部に形成した薄小片状の脆弱片とすることで、簡易かつ安価な構造によって上記効果を達成することができる。
【００１８】
さらに、頭部の挿込孔出口を、ベルト部が通る隙間だけを残して邪魔片によって塞ぐことで、挿込孔出口側から細棒などを用いてベルト部の溝へ掛け止められた戻止部に細工をして、その掛け止めを解除しようとする行為を有効に防止することができる。すなわち各戻止部は、その端部が挿込孔出口側に若干傾斜した状態でベルト部の溝へ掛け止められているが、挿込孔出口側が邪魔片によって塞がれているため、挿込孔出口側から各戻止部に細工をしてその掛け止めを解除することが不可能であるため、封印締結具を再利用可能な状態でメータボックスから取り去ることをより確実に防ぐことができる。
【００１９】
また、掛け止めた封印締結具（本体）の頭部の挿込孔出口側を覆う引き抜き不能な蓋部材をベルト部の先端からさらに挿し込むことで、より一層効果的に不正を防止することができる。なお蓋部材を用いることで、封印締結具（本体）に脆弱部が設けられていない一般的な結束バンドを用いた場合であっても、不正防止を図ることが可能となる。
【図面の簡単な説明】
【００２０】
【図１】電力量計のメータボックスが閉じた状態の斜視図である。
【図２】電力量計のメータボックスが閉じた状態を側面から見た透視概要図である。
【図３】実施例１の封印締結具の斜視図である。
【図４】封印締結具頭部の構造を説明するための図である。
【図５】実施例１の封印締結具により基台にカバー部材を閉止固定・封印した様子を示した斜視図である。
【図６】実施例２の封印締結具頭部の構造を説明するための断面図である。
【図７】封印締結具（本体）に蓋部材を挿し入れる様子を表した断面図である。
【図８】電力量計を収容するメータボックスの一例を示した斜視図である。
【図９】メータボックス下部の拡大図である。
【発明を実施するための最良の形態】
【００２１】
本発明の封印締結具は、主としてメータボックスの閉止固定および封印を専用工具を用いることなく容易に行うことを可能とし、また一度した封印に細工をして取り外しこれを再利用しようとする不正が行われた場合にも、取り外したことを容易に発見することができるようにするものである。
なお本発明は、封印締結が必要とされる収容容器全般などに適用することができるが、以下の実施例では需要家宅等に設置される電力量計のメータボックスに適用する場合について説明する。
【００２２】
まず、本発明の封印締結具が使用される電力量計およびメータボックスの構造について図面を用いて簡単に説明をする。図１及び図２は電力量計およびメータボックスの構造を説明するための図であり、図１は電力量計のメータボックスが閉じた状態の斜視図、図２はこれを側面から見た透視概要図である。
【００２３】
この電力量計１は、電力量を測定する電力測定部５、電力測定部５と接続された端子ボックス６、測定結果を表示する表示部７等が、メータボックス５０（収容ケース）内に収容された構造を有している。このメータボックス５０は、需要者の自宅家屋等の壁面に固定される基台５２と、基台５２の前面に取り付けられて電力測定部５、端子ボックス６、及び表示部７等を覆うと共に表示部７の表示内容を視認可能にする透明窓３（メーター表示窓）を備えたカバー部材５３とから構成されている。
【００２４】
基台５２にはカバー部材５３の上端辺がヒンジ接続されており、このヒンジを回転軸として基台５２にカバー部材５３を被せることで、基台５２に対してカバー部材５３を閉止するようになっている。ここでメータボックス５０を構成する基台５２およびカバー部材５３には、基台５２にカバー部材５３を閉止した際に一連して形成される封印用ネジ穴５７がそれぞれに整合して設けられている。
従来ではこの封印用ネジ穴５７に、締結ねじを捩じ込むことで基台５２にカバー部材５３を閉止した状態で固定し、また、一度捩じ込んだ締結ねじを取り去ることができないように封印ワイヤ１００ａと封印鉛１００ｂからなる封印具１００が用いられていたのは前述の通りである（図７、図８参照）。
本発明では従来のように締結ねじや封印具を用いることなく、以下の実施例に説明する封印締結具１０を用いることで、基台５２にカバー部材５３を閉止した状態で容易に固定（締結）するとともにその封印をも同時に行うことを可能とした。
【実施例１】
【００２５】
図３は本実施例の封印締結具の斜視図であり（ａ）は表側、（ｂ）は裏側を表しており、図４は封印締結具頭部の構造を説明するための断面図（（ａ）、（ｂ））および平面図（（ｃ））ならびに正面図（（ｄ））、図５は本実施例の封印締結具により基台にカバー部材を閉止固定・封印した様子を示した斜視図である。
【００２６】
本実施例の封印締結具１０（本体）は、挿込孔１２が形成されその内部に戻止部１４が突起した頭部１６と、この頭部１６から伸長し、かつ、挿込孔１２内部の戻止部１４に掛け止められる複数の溝１８が並列して形成されたベルト部２２からなり、柔軟な合成樹脂により一体的に成形されている。
【００２７】
頭部１６は各辺が６ｍｍ程度の略立方体形状をしており、その中心部には次に説明するベルト部２２を挿通するための挿込孔１２が形成されている。この挿込孔１２は縦横が各３ｍｍ程度の大きさで頭部１６の対向する二面に矩形に開口しており、その内部には２ｍｍ程度の長さで突起する短片状の戻止部１４が形成されている。この戻止部１４は挿込孔１２にベルト部２２が挿通された際にこれを掛け止めてその引き抜きを禁止するように、若干挿込孔出口側に傾斜した状態となっている。
またこの頭部１６にはその側面に、会社のマークなどの独特の刻印が浮き出すように施されている（図示せず）。
【００２８】
ベルト部２２は、頭部１６の挿込孔１２が形成されていない側面で、かつ、挿込孔１２の内部に戻止部１４が形成された側の側面から伸長する長さ２０ｃｍ程度で幅３ｍｍ弱、厚さが１ｍｍ程度の平帯である。このベルト部２２の片面には、挿込孔１２内部の戻止部１４に掛け止められることとなる複数の溝１８が長さ方向に１ｍｍ程度の間隔で並列して形成されている。したがって頭部１６に形成された挿込孔１２にベルト部２２をその先端から容易に挿し入れることができる一方、戻止部１４にベルト部２２の溝１８が一度掛け止められると挿し入れたベルト部２２は引き抜くことができないようになっている。
またこのベルト部２２には、これをメータボックスの封印用ネジ穴５７に通してから頭部１６の挿込孔１２に先端から挿し入れて締め付けた際に挿込孔入口に位置することとなる部分に、挿込孔入口を蓋することとなる鍔部２３がブロック状に形成されている。この鍔部２３は挿込孔１２に挿し込んだベルト部２２を掛け止めた戻止部１４への外部（挿込孔入口側）からの接触を禁止するためのものである。
【００２９】
さらにこのベルト部２２には、その両側面（厚み面）に薄小片状のカエシ部Ｐが連続して複数形成されている。このカエシ部Ｐは、ベルト部２２の両側面からベルト部先端方向からベルト部後端方向（頭部方向）に向かって徐々に広がるように傾斜して撓み、一端がベルト部の側面に接続してベルト部と一体成形された薄小片である。そしてこのカエシ部Ｐの付け根の裏側には、カエシ部Ｐを無理に起こそうとした場合に、このカエシ部Ｐが折れ取れるようにするための切れ込みが形成されている（図示せず）。なお頭部１６の挿込孔１２の幅はベルト部２２の幅とほぼ同じであり、ベルト部を挿し込むのに必要最小限な幅となっている。
【００３０】
したがって、頭部１６の挿込孔１２にベルト部２２を先端から挿し込んで封印締結具を締結する際には、このカエシ部Ｐはベルト部の側面に沿うように密着して畳まれることで挿込孔を通り抜けることができる一方、一度挿込孔１２を通り抜けるとその弾性力によって広がって挿込孔出口にカエシ状に掛け止ることとなり、再びこれを引き抜くことはできないようになっている。
【００３１】
本実施例の封印締結具１０を用いてメータボックス５０の基台５２にカバー部材５３を閉止固定して封印するためには、図５（A）および（B）に示したように、まず基台５２にカバー部材５３を閉止した際に一連して形成された封印用ネジ穴５７に封印締結具１０（本体）のベルト部２２をその先端から通し、その後ベルト部２２が環を形成するように屈曲させて頭部１６の挿込孔１２にこれを挿し通す。そして頭部１６を指で摘んでベルト部２２先端を強く引っ張り締結することで、カバー部材５３が基台５２に閉止状態で固定される。このときベルト部２２に形成した鍔部２３は、挿込孔１２の入口を蓋した状態となっている。また挿込孔出口にはカエシ部Ｐが広がって掛け止まった状態となっている。最後に頭部１６の挿込孔１２から延びたベルト部２２を２ｃｍ程度余らせた状態で鋏で切断してやることで、メータボックス５０の封印締結作業が完了する。ここでベルト部に予め切れ込み溝を入れておくことで、鋏を用いることなく指先でこれを切断することができるようにしてやることも好ましい。
なお本実施例の封印締結具１０は、図５（A）および（B）に示したように、封印用ネジ穴５７にいずれの方向から挿し込む場合でもメータボックス５０の閉止固定・封印を行うことができる。
【００３２】
このように封印締結具頭部の挿込孔はその入口が鍔部２３によって蓋されているため挿込孔入口側から戻止部１４に細工をすることは不可能である。また、挿込孔出口側から戻止部１４に不正な細工をしてベルト部を引き抜くと、ベルト部のカエシ部Ｐが挿込孔出口に引っ掛かり折れ取れる。そのため、不正に封印を解除してメータボックスを開けて電力測定部に対して細工をした後に、仮に再びその封印締結具を用いて封印を行ったとしても、容易にその行為を発見することができるのである。
なおカエシ部Ｐが折れ取れた場合にその判別を容易にすべく、カエシ部Ｐの色をベルト部と異なる色としておくことも好ましい。
【００３３】
このように本実施例の発明では、封印ネジを用いることなく結束バンド状の封印締結具１０により、基台５２にカバー部材５３を閉止固定することができると同時に、従来のような封印用ワイヤと封印鉛および専用工具を用いた煩雑な封印作業をすることなしに基台５２にカバー部材５３を封印固定することができる。また、ベルト部２２にカエシ部Ｐや鍔部２３を形成することで、不正な細工によりこの封印をベルト部２２を切断することなく解除し、再びこの封印締結具１０を用いて封印をして不正が発覚しないようにしようとする行為を回避することができる。
【実施例２】
【００３４】
図６は実施例２の封印締結具頭部の構造を説明するための断面図である。
この封印締結具１０の構造はその頭部１６の一部を除いて実施例１のものと同じであるため、共通する部分には同様の符号を付すことで重複する説明は省略する。
【００３５】
この封印締結具１０（本体）の頭部１６には挿込孔１２が形成されていることは実施例１と同様であるが、この挿込孔１２の内部には戻止部１４に並ぶようにして戻止部１４の出口側に脆弱片Ｑが設けられている。
【００３６】
この脆弱片Ｑは、ベルト部を頭部１６の挿込孔１２に挿し込んだ際にベルト部２２の溝１８と係合する薄小片であり、戻止部１４とは４ｍｍ程度の間隔で並列している。脆弱片Ｑは薄く形成されており、またその付け根には容易に破断するように切れ込みが形成されている（図示せず）。そのためベルト部２２の溝１８に係合した脆弱片Ｑに予定外の無理な力が外部から加わると容易に破断するようになっている。なお脆弱片Ｑの色は頭部の色と異なる色となっており、挿込孔出口側から目視によって容易にその状態（破損の有無）を確認することができるようになっている。
【００３７】
さらにこの脆弱片Ｑは、頭部１６の挿込孔出口をベルト部２２が通る隙間だけを残して塞ぐ邪魔片となるものである。この脆弱片Ｑ（邪魔片２５）はベルト部２２を掛け止めた戻止部１４への外部からの接触を禁止するためのものである。なおこの邪魔片２５を脆弱片Ｑとは別に設けることもできるが、その場合、邪魔片を透明な部材によって形成し、挿込孔出口側からの脆弱片Ｑの視認を阻害しないようにすることが必要である。
【００３８】
また図７に示したように、必要に応じて頭部１６の挿込孔１２に挿し入れたベルト部２２の先端を強く引っ張ってメータボックスを閉止固定・封印した後さらに、さらにベルト部先端から挿し入れることで挿込孔入口を蓋することとなる蓋部材２４が取り付けられる。この蓋部材２４は封印締結具１０（本体）の頭部１６と類似の構造をしており、略立方体形状の中心にベルト部２２を挿通するための孔２６が形成され、また、一度その孔に挿し入れたベルト部２２はその溝１８が掛け止められて引き抜くことができないようになっている。そして孔２６の出口はベルト部２２を通すだけの大きさにスリット状に開口している。
この蓋部材２４は封印締結具１０（本体）の挿込孔１２に挿し込んだベルト部２２を掛け止めた戻止部１４への外部（挿込孔入口側）からの接触を禁止するたものものである。またベルト部２２の両面（表裏）に溝１８を形成しておき、この蓋部材２４の孔２６内にこの溝１８を掛け止める突起を対向して形成してやることもできる。
なおこの蓋部材２４を用いることで、封印締結具（本体）に脆弱部が設けられていない一般的な結束バンドを用いた場合であっても、その頭部の挿込孔出口側を蓋部材２４によって覆うことで、挿込孔内部の戻止部への細工をさせないようにすることができるため、封印の解除による不正を未然に防止することができる。
【００３９】
本実施例では脆弱片Ｑを挿込孔１２内部に形成することで、挿込孔１２の戻止部１４に不正な細工をしてベルト部を引き抜くと頭部１６の脆弱片Ｑが折れ取れるため、実施例１でのカエシ部Ｐの代わりにこれによっても、容易にその不正な行為を発見することができる。なお脆弱片Ｑとカエシ部Ｐとを併用してやることも勿論可能であり好ましい。また頭部１６の挿込孔出口に邪魔片２５を形成することで、挿込孔出口側から戻止部１４への接触を禁止してやることもできる。さらに挿込孔出口を蓋する蓋部材２４を用いることで、戻止部１４への不正な細工をより一層効果的に防ぐことができる。
【産業上の利用可能性】
【００４０】
本発明の封印締結具は、電力量計用のメータボックス以外にも、ガス、水道などのメータボックスなど、その閉止固定と封印が必要である全てのものに採用することができる。
【符号の説明】
【００４１】
１  電力量計
３  透明窓
５  電力測定部
６  端子ボックス
７  表示部
１０  封印締結具
１２  挿込孔
１４  戻止部
１６  頭部
１８  溝
２２  ベルト部
２３  鍔部
２４  蓋部材
２５  邪魔片
２６  孔
５０  メータボックス
５２  基台
５３  カバー部材
５４  締結ねじ
５５  挿通孔
５７  封印用ネジ穴
１００  封印具
１００ａ  封印ワイヤ
１００ｂ  封印鉛
Ｐ  カエシ部
Ｑ  脆弱片
【図１】
2011047805.tif 000003
【図２】
2011047805.tif 000004
【図３】
2011047805.tif 000005
【図４】
2011047805.tif 000006
【図５】
2011047805.tif 000007
【図６】
2011047805.tif 000008
【図７】
2011047805.tif 000009
【図８】
2011047805.tif 000010
【図９】
2011047805.tif 000011